(57)【特許請求の範囲】
【請求項１】
特定の生体情報を測定可能な第１状態と、指示を入力可能な第２状態との間で状態が遷移する生体情報測定装置において、
生体の特定部位の電気インピーダンスを測定するインピーダンス測定部と、
前記電気インピーダンスの測定経路を切り替えることにより、複数の特定部位のいずれかに前記特定部位を設定する切替部と、
前記第１状態において前記インピーダンス測定部に測定された電気インピーダンスに基づいて、前記特定の生体情報を推定する第１推定部と、
前記第２状態において前記インピーダンス測定部に測定された電気インピーダンスに基づいて、前記特定部位の筋肉の緊張度を推定する第２推定部と、
前記第２推定部に推定された前記特定部位の緊張度に基づいて、指示の入力を検出する入力検出部と、
前記入力検出部が検出した指示の入力に応じた処理を行う処理部と、
を備え、
前記処理部は、前記特定部位が、前記複数の特定部位のうち第１の特定部位のときに前記入力検出部が指示の入力を検出すると第１の処理を行い、前記特定部位が、前記複数の特定部位のうち第２の特定部位のときに前記入力検出部が指示の入力を検出すると、前記第１の処理とは異なる第２の処理を行う、
ことを特徴とする生体情報測定装置。
【請求項２】
前記入力検出部は、前記特定部位の緊張度に基づいて、前記特定の生体情報の推定に用いられるパラメータの設定に関する指示の入力を検出し、
前記処理部は、前記指示の入力に応じて前記パラメータの値を設定するものであり、前記第１の処理において設定するパラメータの値と、前記第２の処理において設定するパラメータの値とを、異ならせる、
ことを特徴とする請求項１に記載の生体情報測定装置。
【請求項３】
前記処理部は、前記第１の処理においては前記パラメータの値を増加させ、前記第２の処理においては前記パラメータの値を減少させる、
ことを特徴とする請求項２に記載の生体情報測定装置。
【請求項４】
前記入力検出部は、前記第２推定部に推定された緊張度が予め定められた基準値以上の場合には、予め定められた指示の入力を検出する
ことを特徴とする請求項１乃至３のいずれか一項に記載の生体情報測定装置。
【請求項５】
前記入力検出部は、前記第２推定部に推定された緊張度が、予め定められた複数の数値範囲のいずれかに属する場合には、前記複数の数値範囲に予め対応付けられた互いに異なる複数の指示のうち、当該緊張度が属する前記数値範囲に対応付けられた指示の入力を検出する
ことを特徴とする請求項１乃至３のいずれか一項に記載の生体情報測定装置。
【請求項６】
前記インピーダンス測定部に測定された電気インピーダンスを報知するインピーダンス報知部を備える
ことを特徴とする請求項１乃至５のうちいずれか１項に記載の生体情報測定装置。
【請求項７】
生体の電気インピーダンスを測定して特定の生体情報を推定する生体情報測定装置において指示の入力を検出する方法であって、
電気インピーダンスの測定経路を切り替えることにより、電気インピーダンスの測定の対象となる特定部位を複数の特定部位のいずれかに設定し、当該特定部位の電気インピーダンスを測定する第１ステップと、
前記第１ステップで測定された電気インピーダンスに基づいて、前記特定部位の筋肉の緊張度を推定する第２ステップと、
前記第２ステップで推定された前記特定部位の緊張度に基づいて、指示の入力を検出する第３ステップと、
前記第３ステップで検出された指示の入力に応じた処理を行う第４ステップと、
を有し、
前記第４ステップでは、前記特定部位が、前記複数の特定部位のうち第１の特定部位のときに指示の入力を検出すると第１の処理を行い、前記特定部位が、前記複数の特定部位のうち第２の特定部位のときに指示の入力を検出すると、前記第１の処理とは異なる第２の処理を行う、
ことを特徴とする生体情報測定装置の入力検出方法。
【発明の詳細な説明】
【技術分野】
【０００１】
本発明は、生体の電気インピーダンスを測定して特定の生体情報を測定する生体情報測定装置とその入力検出方法とに関する。
【背景技術】
【０００２】
生体情報測定装置の一つとして、特許文献１に記載の装置が挙げられる。この装置は、使用者に操作されるキースイッチ（ＳＥＴキースイッチ、ＵＰキースイッチ及びＤＯＷＮキースイッチ）を備え、装置上に直立した被測定者の生体のインピーダンスと体重とを測定し、これらの測定値と、使用者がキースイッチを操作して入力した指示に従って設定された個人パラメータ（身長や、年齢、性別など）とに基づいて、特定の生体情報（細胞外液量や、細胞内液量、体水分量、除脂肪量、体脂肪量、体脂肪の割合など）を推定（測定）する。
【先行技術文献】
【特許文献】
【０００３】
【特許文献１】特開２００１−７０２７３号公報（図８）
【発明の概要】
【発明が解決しようとする課題】
【０００４】
ところで、生体情報測定装置を操作するのは、通常、被測定者である。したがって、特許文献１に記載の装置では、被測定者が、特定の生体情報の測定のために装置上に直立したり、指示を入力するために屈んだりすることになる。つまり、被測定者に負担がかかる。この負担を軽減するために、直立した被測定者の手元にキースイッチが位置するように生体情報測定装置を設計することも考えられるが、これでは、生体情報測定装置の設計（デザイン）の自由度が低下してしまう。
【０００５】
そこで、本発明は、生体情報測定装置において、設計の自由度を向上させつつ、被測定者にかかる負担を軽減することを解決課題とする。
【課題を解決するための手段】
【０００６】
上記課題を解決するために、本発明は、特定の生体情報を測定可能な第１状態と、指示を入力可能な第２状態との間で状態が遷移する生体情報測定装置において、生体の特定部位の電気インピーダンスを測定するインピーダンス測定部と、前記電気インピーダンスの測定経路を切り替えることにより、複数の特定部位のいずれかに前記特定部位を設定する切替部と、前記第１状態において前記インピーダンス測定部に測定された電気インピーダンスに基づいて、前記特定の生体情報を推定する第１推定部と、前記第２状態において前記インピーダンス測定部に測定された電気インピーダンスに基づいて、前記特定部位の筋肉の緊張度を推定する第２推定部と、前記第２推定部に推定された前記特定部位の緊張度に基づいて、指示の入力を検出する入力検出部と、前記入力検出部が検出した指示の入力に応じた処理を行う処理部とを備え、前記処理部は、前記特定部位が、前記複数の特定部位のうち第１の特定部位のときに前記入力検出部が指示の入力を検出すると第１の処理を行い、前記特定部位が、前記複数の特定部位のうち第２の特定部位のときに前記入力検出部が指示の入力を検出すると、前記第１の処理とは異なる第２の処理を行うことを特徴とする生体情報測定装置を提供する。
上記生体情報測定装置の一態様において、前記入力検出部は、前記特定部位の緊張度に基づいて、前記特定の生体情報の推定に用いられるパラメータの設定に関する指示の入力を検出し、前記処理部は、前記指示の入力に応じて前記パラメータの値を設定するものであり、前記第１の処理において設定するパラメータの値と、前記第２の処理において設定するパラメータの値とを、異ならせることが好ましい。また、前記処理部は、前記第１の処理においては前記パラメータの値を増加させ、前記第２の処理においては前記パラメータの値を減少させることが好ましい。
上記緊張度は、特定部位の筋肉が緊張状態にあるとき（筋肉緊張状態）の、その緊張の程度を示す。筋肉緊張状態は特定部位の筋肉が収縮している状態であり、筋肉が緊張状態にあるとは、筋肉が一定程度収縮（あるいは弛緩）している状態と比較してその収縮の度合いがより強い状態を示す。例えば、後述の非限定の実施形態に示される一例によれば、被測定者が生体情報測定装置の把持部（例えば、把持部２、３）を持ち上げて保持可能な程度に握っているときの収縮状態を通常状態とし、被測定者が把持部を強く握った状態を、通常状態における筋肉の収縮よりも筋肉の収縮の度合いが強い筋肉緊張状態であるとして把握する。この度合いが緊張度である。
【０００７】
この生体情報測定装置によれば、被測定者は、第２状態において、特定部位の筋肉を緊張させたり弛緩させたりすることにより、生体情報測定装置に指示を入力することができる。また、この生体情報測定装置では、特定の生体情報の推定に用いる電気インピーダンスを測定するインピーダンス測定部により、特定部位の筋肉の緊張度の推定に用いる電気インピーダンスが測定される。つまり、インピーダンス測定部が特定の生体情報の推定と指示の入力とに兼用される。したがって、指示の入力のために専用の操作子を設ける必要がない。以上より、この生体情報測定装置によれば、設計の自由度を向上させつつ、被測定者にかかる負担を軽減することができる。また、筋肉を緊張させることは、筋肉に力を入れることと等価であるから、この生体情報測定装置には、随意筋を鍛錬可能という利点もある。また、意識的に随意筋を動かすことは、脳を使って随意筋を動かすことと等価であるから、この生体情報測定装置は、脳の活性化にも寄与する。
【０００８】
上記の生体情報測定装置において、前記入力検出部は、前記第２推定部に推定された緊張度が予め定められた基準値以上の場合には、予め定められた指示の入力を検出するようにしてもよいし、前記入力検出部は、前記第２推定部に推定された緊張度が、予め定められた複数の数値範囲のいずれかに属する場合には、前記複数の数値範囲に予め対応付けられた互いに異なる複数の指示のうち、当該緊張度が属する前記数値範囲に対応付けられた指示の入力を検出するようにしてもよい。
【０００９】
上記の各生体情報測定装置において、前記インピーダンス測定部に測定される前記特定部位を切り替える切替部を備えるようにしてもよい。この場合、特定部位を適宜に切り替えることにより、高度なユーザーインターフェイスを提供することができる。
【００１０】
上記の各生体情報測定装置において、前記第１推定部に推定された前記特定の生体情報を報知する情報報知部と、前記情報報知部が駆動されていないときに、特定の指示の入力が前記入力検出部に検出されると、当該生体情報測定装置全体の駆動を開始する駆動制御部とを備えるようにしてもよい。この場合、設計の自由度がさらに向上する。
【００１１】
上記の各生体情報測定装置において、前記インピーダンス測定部に測定された電気インピーダンスを報知するインピーダンス報知部を備えるようにしてもよい。インピーダンス測定部には、特定部位の電気インピーダンスが測定され、この電気インピーダンスは、特定部位の筋肉が緊張すると大きくなり、弛緩すると小さくなるから、インピーダンス報知部は、特定部位の筋肉の緊張の程度、すなわち特定部位の筋肉が発生させた力の大きさに応じた量を報知することになる。よって、被測定者は、特定部位の筋力を知ることができる。
【００１２】
また、上記課題を解決するために、本発明は、生体の電気インピーダンスを測定して特定の生体情報を推定する生体情報測定装置において指示の入力を検出する方法であって、電気インピーダンスの測定経路を切り替えることにより、電気インピーダンスの測定の対象となる特定部位を複数の特定部位のいずれかに設定し、当該特定部位の電気インピーダンスを測定する第１ステップと、前記第１ステップで測定された電気インピーダンスに基づいて、前記特定部位の筋肉の緊張度を推定する第２ステップと、前記第２ステップで推定された前記特定部位の緊張度に基づいて指示の入力を検出する第３ステップと、前記第３ステップで検出された指示の入力に応じた処理を行う第４ステップと、を有し、前記第４ステップでは、前記特定部位が、前記複数の特定部位のうち第１の特定部位のときに指示の入力を検出すると第１の処理を行い、前記特定部位が、前記複数の特定部位のうち第２の特定部位のときに指示の入力を検出すると、前記第１の処理とは異なる第２の処理を行うことを特徴とする生体情報測定装置の入力検出方法を提供する。
【００１３】
この方法によれば、被測定者は、特定部位の筋肉を緊張させたり弛緩させたりすることにより、生体情報測定装置に指示を入力することができる。また、この方法では、特定の生体情報の推定に用いる電気インピーダンスと、特定部位の筋肉の緊張度の推定に用いる電気インピーダンスとを同一のインピーダンス測定部に測定させることができる。したがって、指示の入力のために専用の操作子を設ける必要がない。以上より、この方法によれば、生体情報測定装置の設計の自由度を向上させつつ、被測定者にかかる負担を軽減することができる。
【図面の簡単な説明】
【００１４】
【図１】本発明の一実施形態に係る生体情報測定装置１００の立面図である。
【図２】生体情報測定装置１００の本体１の平面図である。
【図３】生体情報測定装置１００の電気的構成を示すブロック図である。
【図４】特定部位が右半身の場合の測定経路を模式的に示す図である。
【図５】特定部位が左半身の場合の測定経路を模式的に示す図である。
【図６】特定部位が両足の場合の測定経路を模式的に示す図である。
【図７】特定部位が両腕の場合の測定経路を模式的に示す図である。
【図８】特定部位が右腕の場合の測定経路を模式的に示す図である。
【図９】特定部位が左腕の場合の測定経路を模式的に示す図である。
【図１０】特定部位が右足の場合の測定経路を模式的に示す図である。
【図１１】特定部位が左足の場合の測定経路を模式的に示す図である。
【図１２】特定部位が全身の場合の測定経路を模式的に示す図である。
【図１３】生体情報測定装置１００で実行される身長設定処理の流れを示すフローチャートの一部を示す図である。
【図１４】身長設定処理の流れを示すフローチャートの一部を示す図である。
【図１５】本発明の一実施形態の第１変形例に係る生体情報測定装置２００の立面図である。
【図１６】生体情報測定装置２００の本体６の平面図である。
【図１７】本発明の一実施形態の第２変形例に係る生体情報測定装置３００の立面図である。
【図１８】生体情報測定装置３００の本体３１の平面図である。
【図１９】生体情報測定装置３００での測定経路（全身）を模式的に示す図である。
【図２０】本発明の一実施形態の第３変形例に係る生体情報測定装置４００の立面図である。
【図２１】生体情報測定装置４００の本体２１の平面図である。
【図２２】生体情報測定装置４００での測定経路（全身）を模式的に示す図である。
【図２３】生体情報測定装置１００で実行される年齢設定処理の流れを示すフローチャートの一部を示す図である。
【図２４】年齢設定処理の流れを示すフローチャートの一部を示す図である。
【図２５】生体情報測定装置１００で実行される性別設定処理の流れを示すフローチャートの一部を示す図である。
【図２６】性別設定処理の流れを示すフローチャートの一部を示す図である。
【図２７】駆動制御処理の流れを示すフローチャートである。
【発明を実施するための形態】
【００１５】
本発明の一実施形態に係る生体情報測定装置１００は、生体の電気インピーダンスを測定して体脂肪率などの特定の生体情報を測定する装置であり、その状態は、特定の生体情報を測定可能な第１状態と、指示を入力可能な第２状態との間で遷移する。また、生体情報測定装置１００は、生体の特定部位の電気インピーダンスを測定するインピーダンス測定部（後述のインピーダンス測定回路３０）と、第１状態においてインピーダンス測定部に測定された電気インピーダンスに基づいて、特定の生体情報を推定する第１推定部（後述のＣＰＵ（Central Processing Unit）７０）と、第２状態においてインピーダンス測定部に測定された電気インピーダンスに基づいて、特定部位の筋肉の緊張度を推定する第２推定部（後述のＣＰＵ７０）と、第２推定部に推定された緊張度に基づいて、指示の入力を検出する入力検出部（後述のＣＰＵ７０）とを備える。
【００１６】
＜構成＞
以下、生体情報測定装置１００について、図面を参照して説明する。
図１は、生体情報測定装置１００の立面図である。この図に示されるように、生体情報測定装置１００は、上面１ａを有する本体１と、本体１に接続された右把持部２と、本体１に接続された左把持部３とを備える。右把持部２は、被測定者の右手で把持されるものであり、その表面には、右手の指に接触する右指電極１１と、右手の掌に接触する右掌電極１２とが露出している。左把持部３は、被測定者の左手で把持されるものであり、その表面には、左手の指に接触する左指電極１３と、左手の掌に接触する左掌電極１４とが露出している。
【００１７】
図２は、本体１の平面図である。本体１は、被測定者を直立した状態で載せるものであり、その上面１ａには、右足のつま先に接触する右つま先電極１５と、右足のかかとに接触する右かかと電極１６と、左足のつま先に接触する左つま先電極１７と、左足のかかとに接触する左かかと電極１８と、液晶表示装置などの表示部１０とが露出している。さらに、本体１の手前側面には手前方向に突出した電源スイッチＰが設けられる。
【００１８】
図３は、生体情報測定装置１００の電気的構成を示すブロック図である。この図に示されるように、生体情報測定装置１００の本体１は、表示部１０及び電極１５〜１８の他に、８個の電極１１〜１８が接続された測定経路切替回路２０と、生体の特定部位の電気インピーダンスを測定するインピーダンス測定回路３０と、荷重を信号に変換して出力するロードセル４０と、当該荷重を測定する荷重測定回路５０と、ＥＥＰＲＯＭ（Electrically Erasable and Programmable Read Only Memory）などの記憶部６０と、各部を制御するＣＰＵ７０とを備える。被測定者が電源スイッチＰを押すと、生体情報測定装置１００の電源がオン状態となり、各部に駆動電流が供給される。また、インピーダンス測定回路３０や荷重測定回路５０からの入力信号が監視されており、一定時間入力信号が検出されないときは生体情報測定装置１００の電源はオフ状態となる。電力の消費を抑制するためである。
【００１９】
記憶部６０は、被測定者の身長や、年齢、性別その他の個人パラメータを記憶する。ＣＰＵ７０は、生体情報測定装置１００に入力された指示にしたがって、記憶部６０内の個人パラメータを更新すること、すなわち個人パラメータを設定することができる。この設定処理として、身長を設定する身長設定処理、年齢を設定する年齢設定処理、および性別を設定する性別設定処理がある。身長設定処理、年齢設定処理、および性別設定処理の内容については後述する。また、身長、年齢、性別以外の個人パラメータの設定処理の内容は、身長設定処理等の各設定処理の内容と同様であり、適宜変更され得る。なお、未使用の生体情報測定装置１００の記憶部６０には、架空または実在の特定の人物の個人パラメータが記憶されている。
【００２０】
また、記憶部６０には、各種の生体情報を算出するための式が記憶されている。上記の式としては、全身の電気インピーダンスと体重と個人パラメータとに基づいて体脂肪率を算出するための回帰式、特定部位の電気インピーダンスに基づいて当該部位の筋肉の緊張度を算出するための式などが挙げられる。また、記憶部６０には、ＣＰＵ７０に実行されるプログラムが記憶されている。ＣＰＵ７０は、レジスタを有し、記憶部６０に記憶されたプログラムを実行することにより、身長設定処理、年齢設定処理、性別設定処理などの各種の処理を実行する。
【００２１】
ロードセル４０には、本体１上の被測定者の体重がもれなく加わる。荷重測定回路５０は、ロードセル４０から出力された信号に基づいて、ロードセル４０に加わっている荷重を測定（推定）する。ＣＰＵ７０は、第１状態において、荷重測定回路５０に測定された荷重に基づいて、被測定者の体重を推定する。具体的には、荷重測定回路５０に測定された荷重から、ロードセル４０に加わっている被測定者の体重以外の重量（既知の重量）を減じたものを、被測定者の体重の測定値とする。
【００２２】
また、ＣＰＵ７０は、全身、右半身、左半身、両足、両腕、右腕、左腕、右足および左足の計９個の部位のうち、任意の一つの部位を特定部位に設定すること、すなわち特定部位を切り替えることができる。そして、ＣＰＵ７０は、第１状態において、全身の電気インピーダンスの測定値に基づいて、特定の生体情報を推定することができる。例えば、全身の電気インピーダンスの測定値と、体重の測定値と、設定された身長と、これを用いて体脂肪率を算出する回帰式とに基づいて、体脂肪率を推定することができる。また、ＣＰＵ７０は、第２状態において、特定部位の電気インピーダンスの測定値に基づいて、当該部位の筋肉の緊張度を推定することができる。
【００２３】
インピーダンス測定回路３０による電気インピーダンスの測定では、特定部位に交流電流が印加され、当該部位の電圧が測定される。以降の説明では、この際の電流の経路と電圧を測定するための経路との集合を「測定経路」と称する。特定部位が異なれば、測定経路も異なる。測定経路の設定や切替は、測定経路切替回路２０によって行われる。測定経路切替回路２０は、ＣＰＵ７０に制御され、８個の電極１１〜１８のうち、特定部位に対応する印加電極間に交流電流が印加され、特定部位に対応する検出電極間の電圧がインピーダンス測定回路３０に検出されるように、測定経路を設定する。
【００２４】
＜測定経路＞
ここで、各測定経路について具体的に説明する。
図４に示すように、特定部位が右半身の場合には、右指電極１１と右つま先電極１５とが印加電極となり、右掌電極１２と右かかと電極１６とが検出電極となる。この場合、インピーダンス測定回路３０は、右指電極１１と右つま先電極１５との間に交流電流を印加し、右掌電極１２と右かかと電極１６との間の電圧を検出する。
【００２５】
図５に示すように、特定部位が左半身の場合には、左指電極１３と左つま先電極１７とが印加電極となり、左掌電極１４と左かかと電極１８とが検出電極となる。この場合、インピーダンス測定回路３０は、左指電極１３と左つま先電極１７との間に交流電流を印加し、左掌電極１４と左かかと電極１８との間の電圧を検出する。
【００２６】
図６に示すように、特定部位が両足の場合には、右つま先電極１５と左つま先電極１７とが印加電極となり、右かかと電極１６と左かかと電極１８とが検出電極となる。この場合、インピーダンス測定回路３０は、右つま先電極１５と左つま先電極１７との間に交流電流を印加し、右かかと電極１６と左かかと電極１８との間の電圧を検出する。
【００２７】
図７に示すように、特定部位が両腕の場合には、右指電極１１と左指電極１３とが印加電極となり、右掌電極１２と左掌電極１４とが検出電極となる。この場合、インピーダンス測定回路３０は、右指電極１１と左指電極１３との間に交流電流を印加し、右掌電極１２と左掌電極１４との間の電圧を検出する。
【００２８】
図８に示すように、特定部位が右腕の場合には、右指電極１１と右つま先電極１５とが印加電極となり、右掌電極１２と左掌電極１４とが検出電極となる。この場合、インピーダンス測定回路３０は、右指電極１１と右つま先電極１５との間に交流電流を印加し、右掌電極１２と左掌電極１４との間の電圧を検出する。
【００２９】
図９に示すように、特定部位が左腕の場合には、左指電極１３と左つま先電極１７とが印加電極となり、右掌電極１２と左掌電極１４とが検出電極となる。この場合、インピーダンス測定回路３０は、左指電極１３と左つま先電極１７との間に交流電流を印加し、右掌電極１２と左掌電極１４との間の電圧を検出する。
【００３０】
図１０に示すように、特定部位が右足の場合には、右指電極１１と右つま先電極１５とが印加電極となり、右かかと電極１６と左かかと電極１８とが検出電極となる。この場合、インピーダンス測定回路３０は、右指電極１１と右つま先電極１５との間に交流電流を印加し、右かかと電極１６と左かかと電極１８との間の電圧を検出する。
【００３１】
図１１に示すように、特定部位が左足の場合には、左指電極１３と左つま先電極１７とが印加電極となり、右かかと電極１６と左かかと電極１８とが検出電極となる。この場合、インピーダンス測定回路３０は、左指電極１３と左つま先電極１７との間に交流電流を印加し、右かかと電極１６と左かかと電極１８との間の電圧を検出する。
【００３２】
図１２に示すように、特定部位が全身の場合には、インピーダンス測定回路３０は、特定部位が左半身の場合（図５参照）と同様の印加および検出と、特定部位が両足の場合（図６参照）と同様の印加および検出とを行う。すなわち、インピーダンス測定回路３０は、左指電極１３と左つま先電極１７との間に交流電流を印加し、左掌電極１４と左かかと電極１８との間の電圧を検出する処理と、右つま先電極１５と左つま先電極１７との間に交流電流を印加し、右かかと電極１６と左かかと電極１８との間の電圧を検出する処理とを排他的に行う。
【００３３】
本実施形態では、ＣＰＵ７０は、生体情報測定装置１００が第２状態にあるときに、特定部位を右腕に設定した右腕入力モード（第１の入力モード）と、左腕に設定した左腕入力モード（第２の入力モード）と、両腕に設定した両腕入力モード（第３の入力モード）とを用いて指示の入力を検出する。右腕入力モードにおいては、図８に示す測定経路で測定された電気インピーダンスに基づいて右腕の緊張度を推定し、推定された緊張度が所定の基準値を超えている場合には特定の指示の入力（第１の指示入力）があったことを検出する。同様に、左腕入力モードにおいては、図９に示す測定経路で測定された電気インピーダンスに基づいて左腕の緊張度を推定し、推定された緊張度が所定の基準値を超えている場合には特定の指示の入力（第２の指示入力）があったことを検出する。両腕入力モードにおいては、図７に示す測定経路で測定された電気インピーダンスに基づいて両腕の緊張度を推定し、推定された緊張度が所定の基準値を超えている場合には特定の指示の入力（第３の指示入力）があったことを検出する。
ＣＰＵ７０は入力モードを右腕入力モード→左腕入力モード→両腕入力モード→右腕入力モード…と巡回的に切り換えることにより、第１、第２、第３の入力指示をそれぞれ検出する。例えば、被測定者が右把持部２を強く握ることにより右腕を緊張させている期間において、入力モードが右腕入力モードに切り替わったタイミングで第１の指示入力が検出される。同様に、被測定者が左把持部３を強く握ることにより左腕を緊張させている期間において、入力モードが左腕入力モードに切り替わったタイミングで第２の指示入力が検出される。また、被測定者が右把持部２および左把持部３の両方を強く握ることにより両腕を緊張させている期間において、入力モードが両腕入力モードに切り替わったタイミングで第３の指示入力が検出される。
【００３４】
＜身長設定処理＞
図１３及び図１４は、身長設定処理の流れを示すフローチャートの一部を示す図であり、接続点Ａ〜Ｄで連結されて一つのフローチャートをなす。身長設定処理は、第２状態においてＣＰＵ７０に実行される。身長設定処理では、ＣＰＵ７０は、図１３に示されるように、まず、特定部位を右腕に設定する（Ｓ１１）。これにより、図８に示す測定経路が設定される。つまり、右腕入力モードに設定される。この設定に並行して、ＣＰＵ７０は、記憶部６０から被測定者の身長を読み出してレジスタに保持し、表示部１０に表示させる。
【００３５】
次にＣＰＵ７０は、インピーダンス測定回路３０に、特定部位の電気インピーダンスを測定するインピーダンス測定処理を開始させる（Ｓ１２）。したがって、以降、インピーダンス測定回路３０は、特定部位の電気インピーダンスを測定し、測定値を示す信号をＣＰＵ７０に供給する処理を繰り返すことになる。なお、特定部位の電気インピーダンスは、特定部位の筋肉が緊張すると大きくなり、弛緩すると小さくなる。
【００３６】
次にＣＰＵ７０は、特定部位の電気インピーダンスの測定値を取得する（Ｓ１３）。具体的には、インピーダンス測定回路３０から供給された信号で示される測定値を、特定部位の電気インピーダンスの測定値とする。ここでは、特定部位が右腕であるから、右腕の電気インピーダンスの測定値が取得される。
【００３７】
次にＣＰＵ７０は、特定部位が右腕であるか否かを判定する（Ｓ１４）。ここでは、特定部位は右腕であるから、ステップＳ１４の判定結果は「ＹＥＳ」となる。したがって、ＣＰＵ７０は、図１４に示されるように、右腕の電気インピーダンスの測定値に基づいて右腕の筋肉の緊張度を推定する（Ｓ２１）。この推定は、右腕の電気インピーダンスの測定値を正規化することで行われる。正規化の内容は任意であるが、本実施形態では、最大値を１、最小値を０とする正規化が行われる。
【００３８】
次にＣＰＵ７０は、推定した緊張度に基づいて、右腕の筋肉が緊張状態であるか否かを判定する（Ｓ２２）。具体的には、推定した緊張度が、予め定められた基準値（例えば０．５）以上であるか否かを判定する。この判定結果が「ＮＯ」の場合、すなわち右腕の筋肉が弛緩状態の場合、ＣＰＵ７０は表示処理（Ｓ３４）を行う。この表示処理では、ＣＰＵ７０は、表示部１０の表示内容を、レジスタに保持されている身長で更新する。
【００３９】
一方、ステップＳ２２の判定結果が「ＹＥＳ」の場合、すなわち右腕の筋肉が緊張状態の場合、ＣＰＵ７０は、第１の指示入力を検出したと判定し、レジスタに保持されている身長を、１ｃｍだけ高くなるように更新し（Ｓ２３）、前述の表示処理（Ｓ３４）を行う。つまり、レジスタに保持されている身長と表示部１０に表示される身長は、右把持部２を握る力が強い場合には１ｃｍだけ高くなり、右把持部２を握る力が弱い場合には変化しない。つまり、身長設定処理において、第１の指示入力は身長を１ｃｍだけ増分させることを指示する指示入力である。
【００４０】
表示処理Ｓ３４が終了すると、ＣＰＵ７０は、特定部位を切り替える（Ｓ３５）。この切替は、右腕→左腕→両腕→右腕→…（すなわち、右腕入力モード→左腕入力モード→両腕入力モード→右腕入力モード…）というように、巡回的に行われる。ここでは、入力モードを右腕入力モードから左腕入力モードに切り替える。具体的には、特定部位が右腕から左腕に切り替えられる。これにより、測定経路が、図９に示す測定経路に切り替えられる。
【００４１】
次にＣＰＵ７０は、図１３に示されるように、特定部位の電気インピーダンスの測定値を取得し（Ｓ１３）、特定部位が右腕であるか否かを判定する（Ｓ１４）。ここでは、特定部位は左腕であるから、左腕の電気インピーダンスの測定値が取得され、ステップＳ１４の判定結果が「ＮＯ」となる。したがって、ＣＰＵ７０は、特定部位が左腕であるか否かを判定する（Ｓ１５）。
【００４２】
この判定結果は「ＹＥＳ」となるから、ＣＰＵ７０は、図１４に示されるように、左腕の緊張度を推定し（Ｓ３１）、左腕の筋肉が緊張状態であるか否かを判定する（Ｓ３２）。これらの処理の内容は、特定部位が左腕であることを除いて、ステップＳ２１及びＳ２２と同様である。ステップＳ３２の判定結果が「ＮＯ」の場合、すなわち左腕の筋肉が弛緩状態の場合、ＣＰＵ７０は表示処理（Ｓ３４）を行う。
【００４３】
一方、ステップＳ３２の判定結果が「ＹＥＳ」の場合、すなわち左腕の筋肉が緊張状態の場合、ＣＰＵ７０は、第２の指示入力を検出したと判定し、レジスタに保持されている身長を、１ｃｍだけ低くなるように更新し（Ｓ３３）、表示処理（Ｓ３４）を行う。つまり、レジスタに保持されている身長と表示部１０に表示される身長は、左把持部３を握る力が強い場合には１ｃｍだけ低くなり、左把持部３を握る力が弱い場合には変化しない。つまり、身長設定処理において、第２の指示入力は身長を１ｃｍだけ減少させることを指示する指示入力である。
【００４４】
表示処理Ｓ３４が終了すると、ＣＰＵ７０は、特定部位を切り替える（Ｓ３５）。ここでは、入力モードを左腕入力モードから両腕入力モードに切り替える。具体的には、特定部位が左腕から両腕に切り替えられる。これにより、測定経路が、図７に示す測定経路に切り替えられる。
【００４５】
次にＣＰＵ７０は、図１３に示されるように、特定部位の電気インピーダンスの測定値を取得し（Ｓ１３）、特定部位が右腕であるか否かを判定する（Ｓ１４）。ここでは、特定部位は両腕であるから、ステップＳ１４の判定結果は「ＮＯ」となる。したがって、ＣＰＵ７０は、特定部位が左腕であるか否かを判定する（Ｓ１５）。この判定結果も「ＮＯ」となるから、ＣＰＵ７０は、両腕の緊張度を推定し（Ｓ１６）、両腕の筋肉が緊張状態であるか否かを判定する（Ｓ１７）。これらの処理の内容は、特定部位が両腕であることを除いて、ステップＳ２１及びＳ２２と同様である。
【００４６】
ステップＳ１７の判定結果が「ＮＯ」の場合、すなわち両腕の筋肉が弛緩状態の場合、ＣＰＵ７０は、図１４に示されるように、特定部位を切り替える（Ｓ３５）。ここでは、入力モードを両腕入力モードから右腕入力モードに切り替える。具体的には、特定部位が両腕から右腕に切り替えられる。これにより、測定経路が、両腕の電気インピーダンスを測定するための測定経路から右腕の電気インピーダンスを測定するための測定経路に切り替えられる。以降、処理は図１３のステップＳ１３に戻る。
【００４７】
このような処理が、ステップＳ１７の判定結果が「ＹＥＳ」となるまで、すなわち特定部位が両腕のときに両腕の筋肉が緊張状態となるまで、繰り返し実行される。この間、レジスタに保持されている身長と表示部１０に表示される身長は、被測定者が右把持部２を強く握っている期間にわたって１ｃｍずつ高くなり、左把持部３を強く握っている期間にわたって１ｃｍずつ低くなる。
【００４８】
したがって、被測定者は、表示部１０の表示を視認しつつ右把持部２及び左把持部３を握る力を調整することにより、レジスタに保持されている身長を自身の身長に一致させることができる。そして、被測定者は、レジスタに保持されている身長が自身の身長に一致すると、右把持部２及び左把持部３を同時に強く握り続ける。これにより、いずれ、ステップＳ１７の判定結果が「ＹＥＳ」となる。すると、ＣＰＵ７０は、第３の指示入力を検出したと判定し、レジスタに保持されている身長を記憶部６０に上書きすることにより、被測定者の身長を設定する（Ｓ１８）。このように、身長設定処理において、第３の指示入力は表示部１０に表示されている身長の設定値（すなわち、レジスタに保持されている身長の値）を自身の身長として確定する指示入力である。これにより被測定者の身長が確定入力されて設定される。
【００４９】
＜年齢設定処理＞
図２３及び図２４は、年齢設定処理の流れを示すフローチャートの一部を示す図であり、接続点Ａ〜Ｄで連結されて一つのフローチャートをなす。年齢設定処理は、第２状態においてＣＰＵ７０に実行される。年齢設定処理は、右腕の緊張状態を検知すると設定年齢を１才加算（Ｓ５３）し、左腕の緊張状態を検知すると設定年齢を１才減算（Ｓ６３）する点で、上記身長設定処理と相違する。他の処理は身長設定処理と同じである。
ＣＰＵ７０は、図２３に示されるように、まず、特定部位を右腕に設定する（Ｓ４１）。これにより、図８に示す測定経路が設定される。つまり、右腕入力モードに設定される。この設定に並行して、ＣＰＵ７０は、記憶部６０から被測定者の年齢を読み出してレジスタに保持し、表示部１０に表示させる。
【００５０】
次にＣＰＵ７０は、インピーダンス測定回路３０に、特定部位の電気インピーダンスを測定するインピーダンス測定処理を開始させる（Ｓ４２）。したがって、以降、インピーダンス測定回路３０は、特定部位の電気インピーダンスを測定し、測定値を示す信号をＣＰＵ７０に供給する処理を繰り返すことになる。
【００５１】
次にＣＰＵ７０は、特定部位の電気インピーダンスの測定値を取得する（Ｓ４３）。具体的には、インピーダンス測定回路３０から供給された信号で示される測定値を、特定部位の電気インピーダンスの測定値とする。ここでは、特定部位が右腕であるから、右腕の電気インピーダンスの測定値が取得される。
【００５２】
次にＣＰＵ７０は、特定部位が右腕であるか否かを判定する（Ｓ４４）。ここでは、特定部位は右腕であるから、ステップＳ４４の判定結果は「ＹＥＳ」となる。したがって、ＣＰＵ７０は、図２４に示されるように、右腕の電気インピーダンスの測定値に基づいて右腕の筋肉の緊張度を推定する（Ｓ５１）。
【００５３】
次にＣＰＵ７０は、推定した緊張度に基づいて、右腕の筋肉が緊張状態であるか否かを判定する（Ｓ５２）。具体的には、推定した緊張度が、予め定められた基準値（例えば０．５）以上であるか否かを判定する。この判定結果が「ＮＯ」の場合、すなわち右腕の筋肉が弛緩状態の場合、ＣＰＵ７０は表示処理（Ｓ６４）を行う。この表示処理では、ＣＰＵ７０は、表示部１０の表示内容を、レジスタに保持されている年齢で更新する。
【００５４】
一方、ステップＳ５２の判定結果が「ＹＥＳ」の場合、すなわち右腕の筋肉が緊張状態の場合、ＣＰＵ７０は、第１の指示入力を検出したと判定し、レジスタに保持されている年齢を、１才だけ増加させるように更新し（Ｓ５３）、前述の表示処理（Ｓ６４）を行う。つまり、レジスタに保持されている年齢と表示部１０に表示される年齢は、右把持部２を握る力が強い場合には１才だけ増え、右把持部２を握る力が弱い場合には変化しない。つまり、年齢設定処理において、第１の指示入力は年齢を１才だけ増分させることを指示する指示入力である。
【００５５】
表示処理Ｓ６４が終了すると、ＣＰＵ７０は、特定部位（すなわち、入力モード）を切り替える（Ｓ６５）。ここでは、入力モードを右腕入力モードから左腕入力モードに切り替える。具体的には、特定部位が右腕から左腕に切り替えられる。これにより、測定経路が、図９に示す測定経路に切り替えられる。
【００５６】
次にＣＰＵ７０は、図２３に示されるように、特定部位の電気インピーダンスの測定値を取得し（Ｓ４３）、特定部位が右腕であるか否かを判定する（Ｓ４４）。ここでは、特定部位は左腕であるから、左腕の電気インピーダンスの測定値が取得され、ステップＳ４４の判定結果が「ＮＯ」となる。したがって、ＣＰＵ７０は、特定部位が左腕であるか否かを判定する（Ｓ４５）。
【００５７】
この判定結果は「ＹＥＳ」となるから、ＣＰＵ７０は、図２４に示されるように、左腕の緊張度を推定し（Ｓ６１）、左腕の筋肉が緊張状態であるか否かを判定する（Ｓ６２）。ステップＳ６２の判定結果が「ＮＯ」の場合、すなわち左腕の筋肉が弛緩状態の場合、ＣＰＵ７０は表示処理（Ｓ６４）を行う。
【００５８】
一方、ステップＳ６２の判定結果が「ＹＥＳ」の場合、すなわち左腕の筋肉が緊張状態の場合、ＣＰＵ７０は、第２の指示入力を検出したと判定し、レジスタに保持されている年齢が１才だけ減少するように更新し（Ｓ６３）、表示処理（Ｓ６４）を行う。つまり、レジスタに保持されている年齢と表示部１０に表示される年齢は、左把持部３を握る力が強い場合には１才だけ低くなり、左把持部３を握る力が弱い場合には変化しない。つまり、年齢設定処理において、第２の指示入力は年齢を１才だけ減少させることを指示する指示入力である。
【００５９】
表示処理Ｓ６４が終了すると、ＣＰＵ７０は、特定部位を切り替える（Ｓ６５）。ここでは、入力モードを左腕入力モードから両腕入力モードに切り替える。具体的には、特定部位が左腕から両腕に切り替えられる。これにより、測定経路が、図７に示す測定経路に切り替えられる。
【００６０】
次にＣＰＵ７０は、図２３に示されるように、特定部位の電気インピーダンスの測定値を取得し（Ｓ４３）、特定部位が右腕であるか否かを判定する（Ｓ４４）。ここでは、特定部位は両腕であるから、ステップＳ４４の判定結果は「ＮＯ」となる。したがって、ＣＰＵ７０は、特定部位が左腕であるか否かを判定する（Ｓ４５）。この判定結果も「ＮＯ」となるから、ＣＰＵ７０は、両腕の緊張度を推定し（Ｓ４６）、両腕の筋肉が緊張状態であるか否かを判定する（Ｓ４７）。これらの処理の内容は、特定部位が両腕あることを除いて、ステップＳ５１及びＳ５２と同様である。
【００６１】
ステップＳ４７の判定結果が「ＮＯ」の場合、すなわち両腕の筋肉が弛緩状態の場合、ＣＰＵ７０は、図２４に示されるように、特定部位を切り替える（Ｓ６５）。ここでは、入力モードを両腕入力モードから右腕入力モードに切り替える。具体的には、特定部位が両腕から右腕に切り替えられる。これにより、測定経路が、両腕の電気インピーダンスを測定するための測定経路から右腕の電気インピーダンスを測定するための測定経路に切り替えられる。以降、処理は図２３のステップＳ４３に戻る。
【００６２】
このような処理が、ステップＳ４７の判定結果が「ＹＥＳ」となるまで、すなわち特定部位が両腕のときに両腕の筋肉が緊張状態となるまで、繰り返し実行される。この間、レジスタに保持されている年齢と表示部１０に表示される年齢は、被測定者が右把持部２を強く握っている期間にわたって１才ずつ増加し、左把持部３を強く握っている期間にわたって１才ずつ減少する。
【００６３】
したがって、被測定者は、表示部１０の表示を視認しつつ右把持部２及び左把持部３を握る力を調整することにより、レジスタに保持されている年齢を自身の年齢に一致させることができる。そして、被測定者は、レジスタに保持されている年齢が自身の年齢に一致すると、右把持部２及び左把持部３を同時に強く握り続ける。これにより、いずれ、ステップＳ４７の判定結果が「ＹＥＳ」となる。すると、ＣＰＵ７０は、第３の指示入力を検出したと判定し、レジスタに保持されている年齢を記憶部６０に上書きすることにより、被測定者の年齢を設定する（Ｓ４８）。このように、年齢設定処理において、第３の指示入力は表示部１０に表示されている年齢の設定値（すなわち、レジスタに保持されている年齢の値）を自身の年齢として確定する指示入力である。これにより被測定者の年齢が確定入力されて設定される。
【００６４】
＜性別設定処理＞
図２５及び図２６は、性別設定処理の流れを示すフローチャートの一部を示す図であり、接続点Ａ〜Ｄで連結されて一つのフローチャートをなす。性別設定処理は、第２状態においてＣＰＵ７０に実行される。性別設定処理は、右腕の緊張状態を検知すると設定性別を女性とし（Ｓ８３）し、左腕の緊張状態を検知すると設定性別を男性とする（Ｓ９３）点で、上記身長設定処理と相違する。他の処理は身長設定処理と同じである。ＣＰＵ７０は、図２５に示されるように、まず、特定部位を右腕に設定する（Ｓ７１）。これにより、図８に示す測定経路が設定される。つまり、右腕入力モードに設定される。この設定に並行して、ＣＰＵ７０は、記憶部６０から被測定者の性別を読み出してレジスタに保持し、表示部１０に表示させる。
【００６５】
次にＣＰＵ７０は、インピーダンス測定回路３０に、特定部位の電気インピーダンスを測定するインピーダンス測定処理を開始させる（Ｓ７２）。したがって、以降、インピーダンス測定回路３０は、特定部位の電気インピーダンスを測定し、測定値を示す信号をＣＰＵ７０に供給する処理を繰り返すことになる。なお、特定部位の電気インピーダンスは、特定部位の筋肉が緊張すると大きくなり、弛緩すると小さくなる。
【００６６】
次にＣＰＵ７０は、特定部位の電気インピーダンスの測定値を取得する（Ｓ７３）。具体的には、インピーダンス測定回路３０から供給された信号で示される測定値を、特定部位の電気インピーダンスの測定値とする。ここでは、特定部位が右腕であるから、右腕の電気インピーダンスの測定値が取得される。
【００６７】
次にＣＰＵ７０は、特定部位が右腕であるか否かを判定する（Ｓ７４）。ここでは、特定部位は右腕であるから、ステップＳ７４の判定結果は「ＹＥＳ」となる。したがって、ＣＰＵ７０は、図２６に示されるように、右腕の電気インピーダンスの測定値に基づいて右腕の筋肉の緊張度を推定する（Ｓ８１）。
【００６８】
次にＣＰＵ７０は、推定した緊張度に基づいて、右腕の筋肉が緊張状態であるか否かを判定する（Ｓ８２）。具体的には、推定した緊張度が、予め定められた基準値（例えば０．５）以上であるか否かを判定する。この判定結果が「ＮＯ」の場合、すなわち右腕の筋肉が弛緩状態の場合、ＣＰＵ７０は表示処理（Ｓ９４）を行う。この表示処理では、ＣＰＵ７０は、表示部１０の表示内容を、レジスタに保持されている性別で更新する。
【００６９】
一方、ステップＳ８２の判定結果が「ＹＥＳ」の場合、すなわち右腕の筋肉が緊張状態の場合、ＣＰＵ７０は、第１の指示入力を検出したと判定し、レジスタに保持されている性別が女性に設定されるように更新し（Ｓ８３）、前述の表示処理（Ｓ９４）を行う。つまり、レジスタに保持されている性別と表示部１０に表示される性別は、右把持部２を握る力が強い場合には女性に設定され、右把持部２を握る力が弱い場合には変化しない。つまり、性別設定処理において、第１の指示入力は性別が女性に設定されるように指示する指示入力である。
【００７０】
表示処理Ｓ９４が終了すると、ＣＰＵ７０は、特定部位（すなわち、入力モード）を切り替える（Ｓ９５）。ここでは、入力モードを右腕入力モードから左腕入力モードに切り替える。具体的には、特定部位が右腕から左腕に切り替えられる。これにより、測定経路が、図９に示す測定経路に切り替えられる。
【００７１】
次にＣＰＵ７０は、図２５に示されるように、特定部位の電気インピーダンスの測定値を取得し（Ｓ７３）、特定部位が右腕であるか否かを判定する（Ｓ７４）。ここでは、特定部位は左腕であるから、左腕の電気インピーダンスの測定値が取得され、ステップＳ７４の判定結果が「ＮＯ」となる。したがって、ＣＰＵ７０は、特定部位が左腕であるか否かを判定する（Ｓ７５）。
【００７２】
この判定結果は「ＹＥＳ」となるから、ＣＰＵ７０は、図２６に示されるように、左腕の緊張度を推定し（Ｓ９１）、左腕の筋肉が緊張状態であるか否かを判定する（Ｓ９２）。ステップＳ９２の判定結果が「ＮＯ」の場合、すなわち左腕の筋肉が弛緩状態の場合、ＣＰＵ７０は表示処理（Ｓ９４）を行う。
【００７３】
一方、ステップＳ９２の判定結果が「ＹＥＳ」の場合、すなわち左腕の筋肉が緊張状態の場合、ＣＰＵ７０は、第２の指示入力を検出したと判定し、レジスタに保持されている性別が男性に設定されるように更新し（Ｓ９３）、表示処理（Ｓ９４）を行う。つまり、レジスタに保持されている性別と表示部１０に表示される性別は、左把持部３を握る力が強い場合には男性に設定され、左把持部３を握る力が弱い場合には変化しない。つまり、性別設定処理において、第２の指示入力は性別が男性に設定されるように指示する指示入力である。
【００７４】
表示処理Ｓ９４が終了すると、ＣＰＵ７０は、特定部位を切り替える（Ｓ９５）。ここでは、入力モードを左腕入力モードから両腕入力モードに切り替える。具体的には、特定部位が左腕から両腕に切り替えられる。これにより、測定経路が、図７に示す測定経路に切り替えられる。
【００７５】
次にＣＰＵ７０は、図２５に示されるように、特定部位の電気インピーダンスの測定値を取得し（Ｓ７３）、特定部位が右腕であるか否かを判定する（Ｓ７４）。ここでは、特定部位は両腕であるから、ステップＳ７４の判定結果は「ＮＯ」となる。したがって、ＣＰＵ７０は、特定部位が左腕であるか否かを判定する（Ｓ７５）。この判定結果も「ＮＯ」となるから、ＣＰＵ７０は、両腕の緊張度を推定し（Ｓ７６）、両腕の筋肉が緊張状態であるか否かを判定する（Ｓ７７）。
【００７６】
ステップＳ７７の判定結果が「ＮＯ」の場合、すなわち両腕の筋肉が弛緩状態の場合、ＣＰＵ７０は、図２６に示されるように、特定部位を切り替える（Ｓ９５）。ここでは、入力モードを両腕入力モードから右腕入力モードに切り替える。具体的には、特定部位が両腕から右腕に切り替えられる。これにより、測定経路が、両腕の電気インピーダンスを測定するための測定経路から右腕の電気インピーダンスを測定するための測定経路に切り替えられる。以降、処理は図２５のステップＳ７３に戻る。
【００７７】
このような処理が、ステップＳ７７の判定結果が「ＹＥＳ」となるまで、すなわち特定部位が両腕のときに両腕の筋肉が緊張状態となるまで、繰り返し実行される。この間、レジスタに保持されている性別と表示部１０に表示される性別は、被測定者が右把持部２だけを強く握っている限りは女性に設定される。一方、レジスタに保持されている性別と表示部１０に表示される性別は、被測定者が左把持部３だけを強く握っている限りは男性に設定される。
【００７８】
したがって、被測定者は、表示部１０の表示を視認しつつ右把持部２及び左把持部３を握る力を調整することにより、レジスタに保持されている性別を自身の性別に一致させることができる。そして、被測定者は、レジスタに保持されている性別が自身の性別に一致すると、右把持部２及び左把持部３を同時に強く握り続ける。これにより、いずれ、ステップＳ７７の判定結果が「ＹＥＳ」となる。すると、ＣＰＵ７０は、第３の指示入力を検出したと判定し、レジスタに保持されている性別を記憶部６０に上書きすることにより、被測定者の性別を設定する（Ｓ７８）。このように、性別設定処理において、第３の指示入力は表示部１０に表示されている性別（すなわち、レジスタに保持されている性別）を自身の性別として確定する指示入力である。これにより被測定者の性別が確定入力されて設定される。
【００７９】
＜効果＞
以上説明したように、生体情報測定装置１００によれば、ＣＰＵ７０が、第２状態においてインピーダンス測定回路３０に測定された電気インピーダンスに基づいて特定部位の筋肉の緊張度を推定する第２推定部と、第２推定部に推定された緊張度に基づいて指示の入力を検出する入力検出部として機能するから、被測定者は、第２状態において、特定部位の筋肉を緊張させたり弛緩させたりすることにより、生体情報測定装置１００に指示を入力することができる。したがって、被測定者は、直立したまま、指示を入力することができる。これは、被測定者にかかる負担の軽減に寄与する。また、操作子を設ける必要がないため、コストも下がるメリットがある。
【００８０】
また、生体情報測定装置１００では、第１状態において特定の生体情報の推定に用いる電気インピーダンスを測定するインピーダンス測定回路３０により、第２状態において特定部位の筋肉の緊張度の推定に用いる電気インピーダンスが測定される。つまり、インピーダンス測定回路３０が第１状態における特定の生体情報の推定と第２状態における指示の入力とに兼用される。つまり、本実施形態には、指示の入力のために専用の操作子を設ける必要がないという特徴がある。この特徴は、生体情報測定装置の設計の自由度の向上に寄与する。
【００８１】
ところで、筋肉を緊張させることは、筋肉に力を入れることと等価である。したがって、本実施形態には、随意筋を鍛錬可能という利点もある。また、意識的に随意筋を動かすことは、脳を使って随意筋を動かすことと等価であるから、本実施形態は、脳の活性化にも寄与する。
【００８２】
また、生体情報測定装置１００では、ＣＰＵ７０及び測定経路切替回路２０は、インピーダンス測定回路３０に測定される特定部位を切り替える切替部として機能する。したがって、生体情報測定装置１００によれば、特定部位を適宜に切り替えることにより、高度なユーザーインターフェイスを提供することができる。そのようなユーザーインターフェイスとしては、図１３及び図１４の身長設定処理によって提供されるものが挙げられる。
【００８３】
また、生体情報測定装置１００では、特定部位についてインピーダンス測定回路３０に測定された電気インピーダンスを特定部位の筋肉の緊張度とするのではなく、当該電気インピーダンスを正規化したものを特定部位の筋肉の緊張度とし、この緊張度と基準値とを比較している。したがって、緊張度と比較される基準値を、計９個の部位に共通とすることができる。
【００８４】
本発明は、上述した実施形態のみならず、上述した実施形態に以下の変形を施して得られる各種の形態や、これらの形態の任意の組み合わせをも範囲に含みうる。
【００８５】
＜第１変形例＞
図１５は、上述した実施形態の第１変形例に係る生体情報測定装置２００の立面図である。この図に示されるように、生体情報測定装置２００は、本体６と、本体６に接続された把持部５とを備える。把持部５は、右把持部２と、左把持部３と、両者が固定された固定部４とを備える。固定部４には、表示部１０が設けられている。
図１６は、本体６の平面図である。この図に示されるように、本体６が本体１と大きく異なる点は、表示部１０を備えていない点のみである。したがって、生体情報測定装置２００では、生体情報測定装置１００での測定経路（図４〜図１２参照）と同様の経路を測定経路とすることができる。つまり、生体情報測定装置２００では、全身、両腕、右腕、左腕、右足、左足、右半身、左半身、両足の計９個の部位を特定部位とすることができる。
【００８６】
＜第２変形例＞
図１７は、上述した実施形態の第２変形例に係る生体情報測定装置３００の立面図である。この図に示されるように、生体情報測定装置３００は、本体３１と、本体３１に接続された把持部７とを備える。把持部７は、右手で握られる右把持部８と、左手で握られる左把持部９と、両者が固定された固定部４とを備える。右把持部８は、右手の内側に接触する右手内側電極３１と、右手の外側に接触する右手外側電極３２とを備える。左把持部９は、左手の内側に接触する左手内側電極３３と、左手の外側に接触する左手外側電極３４とを備える。
図１８は、本体３１の平面図である。この図に示されるように、本体３１が本体６と大きく異なる点は、右つま先電極１５及び左つま先電極１７に代えてつま先電極２５を備え、右かかと電極１６及び左かかと電極１８に代えてかかと電極２６を備える点のみである。つま先電極２５は、右つま先電極１５と左つま先電極１７とを短絡させた電極であり、かかと電極２６は、右かかと電極１６と左かかと電極１８とを短絡させた電極である。
図１９は、生体情報測定装置３００での測定経路を模式的に示す図であり、特定部位が全身の場合のものである。この場合、右手内側電極３１と左手内側電極３３とが短絡され、右手外側電極３２と左手外側電極３４とが短絡され、右手内側電極３１（左手内側電極３３）とつま先電極２５とが印加電極となり、右手外側電極３２（左手外側電極３４）とかかと電極２６とが検出電極となる。この場合、インピーダンス測定回路３０は、右手内側電極３１（左手内側電極３３）とつま先電極２５との間に交流電流を印加し、右手外側電極３２（左手外側電極３４）とかかと電極２６との間の電圧を検出する。
このような構成の生体情報測定装置３００では、全身、両腕、右腕、左腕の計４個の部位を特定部位とすることができる。
【００８７】
＜第３変形例＞
図２０は、上述した実施形態の第３変形例に係る生体情報測定装置４００の立面図である。この図に示されるように、生体情報測定装置４００は、本体２１と、本体２１に接続された右把持部２とを備える。図２１は、本体２１の平面図である。本体２１が本体１と大きく異なるのは、右つま先電極１５及び左つま先電極１７に代えてつま先電極２５を備え、右かかと電極１６及び左かかと電極１８に代えてかかと電極２６を備える点のみである。図２２から明らかなように、生体情報測定装置４００によれば、１個の部位（全身）を特定部位とすることができる。
【００８８】
＜他の変形例＞
生体情報測定装置１００から右把持部２及び左把持部３を削除した構成としてもよい。この場合、生体情報測定装置が備える電極は、右つま先電極１５、右かかと電極１６、左つま先電極１７及び左かかと電極１８との計４個となる。この生体情報測定装置は、１個の部位（両足）を特定部位とすることができる。
上述した実施形態では、右腕入力モード（第１の入力モード）、左腕入力モード（第２の入力モード）、および両腕入力モード（第３の入力モード）を用いたが、入力モードで設定される特定部位は、右腕、左腕および両腕のいずれかに限られない。電気インピーダンスの測定値に基づいて緊張度が推定できる限りにおいて、身体のいずれの部位を特定部位として用いてもよい。また、上述した実施形態では、第１〜第３の入力モードについて、第１〜第３の指示入力をそれぞれ対応させていたが、これに限定されない。例えば、複数の入力モードの少なくともいずれかにおいて緊張度が所定値を超えた場合に、ひとつの指示入力を検出する態様としてもよい。つまり、複数の入力モードにひとつの指示入力を対応させてもよい。
【００８９】
上述した実施形態では、基準値が生体の各部位に共通であるが、これを変形し、生体の部位毎に基準値を用意しておき、特定部位についてインピーダンス測定回路３０に測定された電気インピーダンスを特定部位の筋肉の緊張度とし、この緊張度と、特定部位の基準値とに基づいて、特定部位の筋肉の状態（緊張状態／弛緩状態）を判定するようにしてもよい。
【００９０】
上述した実施形態では、入力検出部が、第２推定部に推定された緊張度が基準値以上の場合には、予め定められた指示の入力を検出しているが、これを変形し、複数の指示のうち第２推定部に推定された緊張度に応じた指示の入力を検出するようにしてもよい。例えば、図１３及び図１４の身長設定処理において、ステップＳ１７の判定結果が「ＹＥＳ」となるまで、レジスタに保持されている身長と表示部１０に表示される身長が、被測定者が右把持部２を少し強く握っている期間にわたって１ｃｍずつ高くなり、右把持部２を非常に強く握っている期間にわたって５ｃｍずつ高くなり、左把持部３を少し強く握っている期間にわたって１ｃｍずつ低くなり、左把持部３を非常に強く握っている期間にわたって５ｃｍずつ低くなるようにしてもよい。
すなわち、上述した実施形態を変形し、入力検出部が、第２推定部に推定された緊張度が、予め定められた複数の数値範囲のいずれかに属する場合には、これらの数値範囲に予め対応付けられた互いに異なる複数の指示のうち、第２推定部に推定された緊張度が属する数値範囲に対応付けられた指示の入力を検出するようにしてもよい。換言すると、ひとつの入力モードに複数の指示入力が対応し、これら複数の指示入力が、ひとつの特定部位について推定された緊張度の複数の数値範囲にそれぞれ対応するようにしてもよい。
【００９１】
また、表示部１０に代えて、情報を音で報知する装置を採用してもよい。この場合、目の見えない人でも特定の生体情報を測定したり、個人パラメータを設定したりすることができる。このように、第１推定部に推定された情報を報知する情報報知部としては、表示部１０に限らず、任意の報知部を採用可能である。なお、複数の被測定者に使用される生体情報測定装置には、被測定者が自己の個人パラメータを選択可能なものがあり、この選択を自動的に行うようにすることも可能である。この自動選択と情報を音で報知する装置とを組み合わせれば、より効果的である。
さらに、インピーダンス測定回路３０に測定された電気インピーダンスを報知するインピーダンス報知部を備えるようにしてもよい。前述したように、特定部位の電気インピーダンスは、特定部位の筋肉が緊張すると大きくなり、弛緩すると小さくなる。つまり、特定部位の電気インピーダンスは、特定部位の筋肉の緊張の程度、すなわち特定部位の筋肉が発生させた力の大きさに応じたものとなる。したがって、インピーダンス報知部は、特定部位の筋肉が発生させた力の大きさを報知することになる。よって、被測定者は、特定部位の筋力を知ることができる。なお、第１推定部に推定された生体情報を報知する情報報知部がインピーダンス報知部を兼ねてもよいし、両者を別体としてもよい。
【００９２】
また、体重・体脂肪率・内臓脂肪レベル・筋肉量・基礎代謝量・体内年齢・推定骨量・体水分率・ＢＭＩ・右足、左足、右腕、左腕、体幹部の体脂肪率・右足、左足、右腕、左腕、体幹部の筋肉量などの複数の生体情報を測定可能とし、測定後に、これらの生体情報を切り替えて報知するようにしてもよい。さらに、報知対象の生体情報を、一定の時間間隔で自動的に切り替える形態としてもよいし、被測定者の指示に応じて順次又は任意に切り替える形態としてもよい。後者の場合、被測定者の筋肉の状態（緊張状態／弛緩状態）を判定して切り替えの指示の入力を検出する形態が好ましい。この形態によれば、被測定者が筋肉を緊張または弛緩させて切り替えの指示を入力すると報知対象の生体情報が切り替わるから、所望の生体情報が報知されるまでの待ち時間を短縮することができる。また、この形態では、切り替えの指示を入力するための操作子を設ける必要がない。これは、製造コストの低下や設計の自由度の向上に寄与する。また、筋肉を緊張させることは、筋肉に力を入れることと等価であるから、この形態には、随意筋を鍛錬可能という利点もある。また、意識的に随意筋を動かすことは、脳を使って随意筋を動かすことと等価であるから、この形態は、脳の活性化にも寄与する。
【００９３】
また、上述した実施形態では、生体情報測定装置１００，２００，３００，４００に電源スイッチＰを設け、この電源スイッチＰが押されることにより生体情報測定装置を起動する態様としていた。しかし、電源スイッチＰの代わりに、生体情報測定装置の起動（ひいては、表示部１０（情報報知部）の駆動）を制御する駆動制御部を備えるようにしてもよい。この駆動制御部は、情報報知部が駆動されていないときに、特定の指示の入力が入力検出部に検出されると、生体情報測定装置全体の駆動を開始させる。より具体的には、ＣＰＵ７０が、情報報知部への駆動電流の供給が停止されている期間においてインピーダンス測定回路３０を間欠的に駆動させ、インピーダンス測定回路３０で測定された電気インピーダンスに基づいて特定の指示の入力を検出し、特定の指示の入力を検出すると、生体情報測定装置全体への駆動電流の供給を開始させる。上記「情報報知部が駆動されていないときに」とは、生体情報測定装置各部のうち少なくとも情報報知部への駆動電流の供給が停止されている場合を示す。よって、生体情報測定装置の他の構成要素、例えば、荷重測定回路５０への駆動電流が供給されていない場合も含む。
【００９４】
図２７は、上記駆動制御部による駆動制御処理の流れを示すフローチャートである。ＣＰＵ７０は間欠的にオン状態となり、インピーダンス測定回路３０および測定経路切替回路２０に駆動電流を供給する（Ｓ１０１；ＹＥＳ、Ｓ１０２）。次に、ＣＰＵ７０は特定部位を右腕に設定する（Ｓ１０４）。つまり、入力モードを右腕入力モードに設定する。これにより、図８に示す測定経路が設定される。次に、ＣＰＵ７０は、インピーダンス測定回路３０に当該特定部位（すなわち、右腕）の電気インピーダンスを測定するインピーダンス測定処理を開始させる（Ｓ１０４）。ＣＰＵ７０は、特定部位の電気インピーダンスの測定値がインピーダンス測定回路３０から供給されると、当該測定値に基づいて右腕の筋肉の緊張度を推定し、推定した緊張度に基づいて、右腕の筋肉が緊張状態であるか否かを判定する（Ｓ１０５）。具体的には、推定した緊張度が、予め定められた基準値以上であるか否かを判定する。この判定結果が「ＮＯ」の場合には、右腕の筋肉が弛緩状態（Ｓ１０７）にあると判定する。そして、ＣＰＵ７０は、インピーダンス測定回路３０および測定経路切替回路２０への駆動電流の供給を停止し、オフ状態に移行する（Ｓ１０８）。一方、ステップＳ１０５の判定結果が「ＹＥＳ」の場合には、特定の指示の入力が検出されたと判定し、生体情報測定装置１００全体を起動（Ｓ１０６）させて、表示部１０への駆動電流の供給を開始させる。なお、特定部位としては、右腕の代わりに、左腕または両腕を用いてもよい。あるいは、特定部位（つまり、入力モード）を順次切り換えることにより、右腕、左腕および両腕のいずれかにおける緊張度に基づいて指示の入力を検出してもよい。
本変形例によれば、情報報知部への駆動電流の供給が停止されている期間（つまり、主電源がオフの期間）であっても、インピーダンス測定回路３０に間欠的に電気インピーダンスを測定させることにより、被測定者が特定部位の筋肉を緊張させると、生体情報測定装置全体が起動されて装置各部への駆動電流の供給が開始されるから、生体情報測定装置全体への駆動電流の供給の開始を指示するための操作子（すなわち、上記実施形態の電源スイッチＰ）または開始および停止を指示するための操作子を備える必要がない。これは、生体情報測定装置の設計の自由度の向上に寄与する利点である。一方、本変形例においては、間欠的にインピーダンス測定回路３０による測定を実行するため消費電力が大きい。このため、上記実施形態のように、電源スイッチＰを設けて生体情報測定装置１００，２００，３００，４００を起動する態様の場合には、電力の消費を抑制することができるという利点がある。
【００９５】
上記駆動制御処理においては、電気インピーダンスの測定値に基づいて特定部位の緊張度を推定することにより特定の指示の入力を検出していたが、緊張度を推定する代わりに、荷重測定回路５０において荷重が検出されたことをもって特定の指示の入力を検出してもよい。つまり、特定部位の筋肉の緊張度を推定する第２推定部によって推定された緊張度に基づいて指示の入力を検出する入力検出部（第１入力検出部）の代わりに、荷重測定回路５０により荷重が検出されたときに指示の入力があったことを検出する第２入力検出部を用いてもよい。この場合には、ステップＳ１０１において、情報報知部が駆動されていないときに、ＣＰＵ７０は、間欠的に、荷重測定回路５０に駆動電流を供給し、荷重の検出の有無を判定する。そして、荷重が検出された場合には生体情報測定装置全体を起動させ（Ｓ１０６）、そうでない場合には荷重測定回路５０への駆動電流の供給を停止する（Ｓ１０８）。この場合にも、上述と同様の効果が得られる。この場合には、上記「情報報知部が駆動されていないときに」とは、情報報知部に加えて、生体情報測定装置の他の構成要素、例えば、インピーダンス測定回路３０に対して駆動電流が供給されていない場合も含む。
本変形例の別の態様として、上記駆動制御部は、特定部位が緊張状態にあることが検出された場合、あるいは、荷重が検出された場合のいずれかをもって、特定の入力の指示を検出してもよい。つまり、第１入力検出部による特定の指示の入力の検出、あるいは、第２入力部による特定の指示の入力の検出のいずれかをもって、生体情報測定装置を起動させるようにしてもよい。この場合にも、上述と同様の効果が得られる。
【符号の説明】
【００９６】
１０  表示部（情報報知部、インピーダンス報知部）
２０  測定経路切替回路
３０  インピーダンス測定回路（インピーダンス測定部）
６０  記憶部
７０  ＣＰＵ（第１推定部、第２推定部、入力検出部、駆動制御部）
１００，２００，３００，４００  生体情報測定装置
【図１】
0005398027.tif 000002
【図２】
0005398027.tif 000003
【図３】
0005398027.tif 000004
【図４】
0005398027.tif 000005
【図５】
0005398027.tif 000006
【図６】
0005398027.tif 000007
【図７】
0005398027.tif 000008
【図８】
0005398027.tif 000009
【図９】
0005398027.tif 000010
【図１０】
0005398027.tif 000011
【図１１】
0005398027.tif 000012
【図１２】
0005398027.tif 000013
【図１３】
0005398027.tif 000014
【図１４】
0005398027.tif 000015
【図１５】
0005398027.tif 000016
【図１６】
0005398027.tif 000017
【図１７】
0005398027.tif 000018
【図１８】
0005398027.tif 000019
【図１９】
0005398027.tif 000020
【図２０】
0005398027.tif 000021
【図２１】
0005398027.tif 000022
【図２２】
0005398027.tif 000023
【図２３】
0005398027.tif 000024
【図２４】
0005398027.tif 000025
【図２５】
0005398027.tif 000026
【図２６】
0005398027.tif 000027
【図２７】
0005398027.tif 000028